(57)【特許請求の範囲】
【請求項１】
その一部が荷貨物に貼着され周縁部が剥離自在な自由端部とされた紙片を引き剥がす紙片剥離装置であって、前記荷貨物に対し進出待避する方向に駆動される装置本体と、該装置本体に設けられて前記紙片の自由端部を吸着して引き寄せる吸着機構と、該吸着機構により吸着して引き寄せられた前記紙片の自由端部を挟持する前記装置本体に設けられた保持機構とを備え、
前記吸着機構は、前記紙片の自由端部を吸着する吸着部及び該吸着部を介して該自由端部を負圧吸引する負圧源とを有する負圧機構と、前記吸着部を前記紙片の自由端部方向に対し進出待避させる駆動機構とを備え、
前記保持機構は、前記装置本体から前記紙片方向へ突出するプレートと、基端部が前記プレートに回動自在に支持され、先端部が該プレートに対し接近・押接し、また該プレートから離隔する方向に変位するよう駆動される把持桿とを備えることを特徴とする紙片剥離装置。
【請求項２】
前記装置本体は、前記荷貨物に対し水平方向に進出・待避・移動自在とされ、前記吸着機構及び保持機構の移動軌跡の下方には、剥離された紙片を落下・回収する回収部が設けられている、ことを特徴とする請求項１記載の紙片剥離装置。
【発明の詳細な説明】
【０００１】
【発明の属する技術分野】
本発明は紙片剥離装置、特に容量の大きな商品などの荷貨物に剥離可能に貼着された伝票などの紙片を良好に剥離して回収する紙片剥離装置に関する。
【０００２】
【従来の技術】
搬送や保管時の商品ほかの荷貨物に伝票や指示書ほかの紙片類をその中央など一部だけで剥離可能に貼着しておき、荷受けや集荷の作業時にこれを剥離して回収し廃棄することは一般的に行われているところである。
しかし、これら貼着紙片の剥離と回収も多数の対象を連続して処理する場合には煩雑なものとならざるを得ず、特に大型の商品や集積商品など容量の大きな荷貨物を扱う荷受けや集荷・配送の場合に円滑な処理が求められる。
【０００３】
例えば、缶飲料の出荷時には、所定数の飲料缶を並列状態でシュリンクし、これを複数層に積み重ねてポリプロピレンなどの緊締バンドで締着すると共に、この緊締バンドの表面に伝票を貼着している。
これら伝票は、荷受け時の剥離と回収の便を考慮して、剥離可能なように略中央部だけをホットメルトで貼着している。しかし、容量の大きな集積商品を多量且つ連続的に扱う荷受け作業に当たって、迅速で円滑な作業処理を確保しながら伝票類を整然と剥離して回収し廃棄することは必ずしも容易ではない。
【０００４】
【発明が解決しようとする課題】
従来のこの種作業を見る場合、緊締バンドから剥離した伝票類や剥がし損なった伝票断片が散逸して多大な回収や廃棄の負担を生んでおり、さらに剥がし損なって樹脂製緊締バンドに残された伝票断片と緊締バンドの分別廃棄は事実上不可能であり、環境保全の上からも好ましくない結果を招いていた。
【０００５】
この点、従来から剥離作業それ自体の効率化は考慮されており、接着力に於いてホットメルトより優れるガムテープの接着面を緊締バンドに貼着された伝票表面に押し当てて剥ぎ取り、これを巻回して回収する方法も行われている。
しかし、この方法では伝票を剥ぎ取って巻き上げ回収したガムテープが大部とならざるを得ず、作業性が悪い上に事後の処理負担を大きなものにしてしまう。また、伝票類を貼着したまま緊締バンドを切り取る方法も提案されたが、この方法は荷受け作業時の伝票剥離を省略して事後作業に先送りする意味しかない。しかも、剥離可能な状態に置かれた荷受け作業時の伝票剥離に比して、混然とした状態で大量に残された緊締バンド片から伝票を剥離して分別回収することは困難を極め、事実上不可能と言わざるを得ない。
【０００６】
本発明はかかる問題を鑑みてなされたものであり、その目的とするところは、主として容量の大きな商品や荷貨物に剥離可能に貼着された伝票などの紙片を整然と剥離して回収する紙片剥離装置を提供するところにある。
【０００７】
【課題を解決するための手段】
上記の課題を解決し目的を達成するため、本発明は以下に掲げる構成とした。請求項１記載の発明は、その一部が荷貨物に貼着され周縁部が剥離自在な自由端部とされた紙片を引き剥がす紙片剥離装置であって、前記荷貨物に対し進出待避する方向に駆動される装置本体と、該装置本体に設けられて前記紙片の自由端部を吸着して引き寄せる吸着機構と、該吸着機構により吸着して引き寄せられた前記紙片の自由端部を挟持する前記装置本体に設けられた保持機構とを備え、前記吸着機構は、前記紙片の自由端部を吸着する吸着部及び該吸着部を介して該自由端部を負圧吸引する負圧源とを有する負圧機構と、前記吸着部を前記紙片の自由端部方向に対し進出待避させる駆動機構とを備え、前記保持機構は、前記装置本体から前記紙片方向へ突出するプレートと、基端部が前記プレートに回動自在に支持され、先端部が該プレートに対し接近・押接し、また該プレートから離隔する方向に変位するよう駆動される把持桿とを備えることを特徴とする。このように構成することにより、一部で貼着された紙片の自由端部を吸着機構で貼着状態のまま吸着して引き寄せ、これを保持機構で安定的に挟持し、しかる後に装置本体を待避方向へ駆動することにより挟持された紙片を引いて貼着部で引き剥がす剥離動作を可能とする。また、紙片の吸着機構を負圧機構と駆動機構で構成して、紙片の自由端部の吸着と引き寄せを円滑に実施させ、保持機構をプレートとこれに押接して保持するよう駆動される把持桿によって構成することにより、保持を安定的なものとするものである。請求項２記載の発明は、前記装置本体は、前記荷貨物に対し水平方向に進出・待避・移動自在とされ、前記吸着機構及び保持機構の移動軌跡の下方には、剥離された紙片を落下・回収する回収部が設けられていることを特徴とする。これは、作業環境や作業手順に応じた装置の実施を便ならしめると共に、剥離した紙片の所望の回収部への回収を図るものである。
【０００８】
【発明の実施の形態】
以下、本発明の実施の形態を図面に基づいて詳細に説明する。
図１並びに図２は、本実施形態に係る紙片剥離装置の概略構成を示すもので、処理対象となる紙片を剥離可能に一部で貼着した荷貨物に対して駆動機構により進退自在に支持された装置本体に、貼着紙片の自由端部を吸着して引き寄せる吸着機構と、該吸着機構により吸着して引き寄せられた紙片の自由端部を挟持する保持機構とを備えてなる。
【０００９】
１は装置本体をなすフレームで、エアーシリンダーＡによって進退自在に支持されており、該フレーム１の前面には保持機構をなすと共に吸着機構を支えるプレート２が、その板面を垂直方向に位置させた状態で前方に突設されている。
また、該プレート２には、板面略中央から前部に亘る下部位置に適幅のスリット２ａが穿設されていると共に、底面前方位置の内部に設けてなる空気通路２ｃと連通する空気放出口２ｂが設けられている。
【００１０】
本実施形態に於ける吸着機構は、図面に於いて省略した負圧源を伴う一対のバキュームパッド３、３からなり、プレート２の基部近傍に取り付けられたエアーシリンダーＢによって進出退避自在に支持されている。
当該バキュームパッド３、３は、前記プレート２のスリット２ａを挿通させた支持桿３ａの左右端部に固定されて該プレート２を挟む平行位置を与えられ、エアーシリンダーＢによる進出時にプレート２の先端より前方に位置するよう設定されている。
【００１１】
保持機構は、前記したプレート２と基端部を該プレート２の左右板面に回動自在に軸着した一対の把持桿４、４とからなる。
この一対の把持桿４、４は、支持桟１ａ、１ａを介してフレーム１に取り付けたエアーシリンダーＣによって開閉自在に支持されると共に、閉鎖時にそれぞれの先端部がプレート２の左右板面に接近して押接し、開放時にプレート２板面から離隔するよう構成されている。
【００１２】
さらに本実施形態では、フレーム１を進退支持するエアーシリンダーＡを架台５に取付固定し、剥離処理の対象とすべき紙片の高さ位置に適合させると共に、架台５に取付固定された装置の全体を他の進退機構によって支持し、処理対象となる紙片を貼着した荷貨物の方向へ進出退避自在に構成している。
尚、架台５は、後に述べる剥離紙片の落下回収に備えて、プレート２の前部位置と照応する位置を切り欠き構成している。
【００１３】
本実施形態に係る紙片剥離装置は以上の構成を有してなるものであり、図３に示すように設置し、商品などの荷貨物に剥離可能に貼着された紙片を図４乃至図１０に示すように剥離して回収する。
図３は、本実施形態に係る紙片剥離装置の設置例で、架台５に取付固定したエアーシリンダーＡをエアーシリンダーＤによって進退可能に支持している。
他方、処理対象となる荷貨物は梱包されその両端側をポリプロピレンの緊締バンドＸで締着された容量の大きな集積商品Ｗであって、一方の緊締バンドＸの正面側表面上部に伝票Ｐをその中央貼着部Ｐ1でホットメルトし、剥離可能に貼着している。
この集積商品Ｗは、搬送パレット（図示せず）に搭載された状態で搬送ローラーＲによって連続的に搬送され、所定位置で定時的に停止するよう設定されており、エアーシリンダーＤによって支持された装置は集積商品Ｗの停止位置に於いてその緊締バンドＸに貼着された伝票Ｐと正対するよう設置されている。
【００１４】
上記設置例に於ける装置の剥離動作は、図４乃至図９に示す通りであり、以下に説明する。
架台５に取付固定された装置は、エアーシリンダーＤにより支持された状態で集積商品Ｗを搬送する搬送路Ｒから一定距離を置いた位置に待機している。（図４）
次いで、エアーシリンダーＤによって架台５を商品Ｗの停止予定位置に進出させ、バキュームパッド３を後退させ把持桿４を開いた状態で搬送商品Ｗの到着を待たせる。（図５）
所定位置に集積商品Ｗが搬送されて停止し、商品Ｗの緊締バンドＸに貼着された伝票Ｐと装置が正対した後に、エアーシリンダーＡによってフレームを商品Ｗ方向へ進出させ、さらにエアーシリンダーＢによってバキュームパッド３を前方へ進出させて中央貼着部Ｐ1を挟んだ両側の自由端部で伝票Ｐに当接させて吸着する。（図６）
ここで、エアーシリンダーＢによりバキュームパッド３を後退させれば、伝票Ｐは吸着された両自由端部を引かれ、貼着状態にある中央貼着部Ｐ1を折り返し部としてプレート２の左右板面方向へ折り返し状態で引き寄せられる。（図７）さらに、エアーシリンダーＣで把持桿４を閉鎖し、引き寄せられた伝票Ｐの自由端部をプレート２の左右板面に半折状態で押接保持する。（図８）
伝票Ｐを半折状態で押接保持した後、エアーシリンダーＡでフレーム１を後退させれば、中央貼着部Ｐ1が引き剥がされて剥離が完了し、さらにエアーシリンダーＤで架台５を後退させて待機位置へ待避させる。（図９）
【００１５】
このような動作で剥離を行うため、第一に中央貼着部Ｐ1の両側自由端部を吸着して引き寄せられた伝票Ｐがプレート２の左右板面上に押圧され半折状態で安定的に保持される。また第二に、この安定した押圧保持の結果、折り返し部を形成する伝票Ｐの中央貼着部Ｐ1に対する引き剥がしの力が左右両方向から均等に加わることとなり、伝票Ｐを貼着していた緊締バンドＸから良好且つ確実に剥離することができる。
【００１６】
次に、以上のように剥離された伝票Ｐの回収動作と回収例は図１０及び図１１の通りである。
即ち、剥離を完了した装置をエアーシリンダーＤによって回収部であるシューターＳ（図１０では図示せず）の上部位置まで後退させ、エアーシリンダーＣで把持桿４を開いて下方のシューターＳ内に落下させ回収する。
【００１７】
半折状態の伝票Ｐは開披状態に比して良好な落下を見せるが、本実施形態ではプレート２の底面前方位置に空気放出口２ｂを設けており、空気を空気通路２ｃに注入して下方に放出することができる。この結果、放出された空気は図１１の破線のようにを半折状態の伝票Ｐの間を通り、伝票Ｐの落下をより安定したものにする。
また、図１１に示すように、シューターＳにセンサーＳ1を設ければ、伝票Ｐの落下を検知してその回収を確認することも可能である。
【００１８】
尚、上記した紙片剥離と回収の一連の作業動作を事前に設定し集積商品Ｗの搬送と同期して制御することは容易であるから、本発明に係る装置によって連続的に搬送される多量の集積商品Ｗに対する剥離と回収の作業を自動的に行うことができる。
【００１９】
次に、図１２及び図１３は、本発明に係る紙片剥離装置の他の実施形態を示すもので、装置をガイドレール７に走行自在に取り付けると共に、当該ガイドレール７をエアーシリンダーＤによって支持したものである。
即ち、ガイドレール７は、該ガイドレール７に嵌装される走行体６と、この走行体６を走行させる走行チェーン７ａとを有し、架台７ｂによって所望の高さに位置されており、紙片剥離装置は走行体６に取付固定している。
また、ガイドレール７はエアーシリンダーＤによって支持されており、前記実施形態に於ける架台５と同様にガイドレール７の長手方向と直交する方向に進退することができる。
処理対象となる集積商品Ｗは、前記実施形態と同様にポリプロピレン製の緊締バンドＸの表面に中央貼着部Ｐ1でホットメルトした伝票Ｐを貼着し、搬送パレット（図示せず）に搭載して搬送ローラーＲで搬送され、ガイドレール７上に設置された紙片剥離装置と正対する所定位置で定時的に停止するよう設定されている。
【００２０】
本実施形態に係る紙片剥離装置は以上のように構成されているから、前述の実施形態に於ける架台５と同様に、エアーシリンダーＤによってガイドレール７を進退させ（図１２）、図４乃至図９に於けると同様にバキュームパッド３、３と把持桿４、４とを動作させることで、集積商品Ｗの緊締バンドＸに貼着された伝票Ｐを整然と剥離することができる。
【００２１】
また、本実施形態に於ける装置は、前記実施形態と異なり、集積商品Ｗの搬送方向と直交する方向のみならず、平行する方向にも移動させることができる。  したがって、図１３に示す通り、荷受け作業場の状況や作業手順に応じて装置の走行範囲の所望位置にシューターＳを設け、当該位置に装置を移動させて剥離後の伝票Ｐを回収処理することができる。
さらに、本実施形態の装置は、搬送される集積商品Ｗと平行して走行することができるから、両者の走行速度とガイドレール７の長さを調整して設定することで、集積商品の走行を停止させることなく装置を併走させて紙片剥離と回収の作業を行うことも可能である。
【００２２】
尚、上記の各実施形態に於いては、装置を支持して移動させる移動機構としてエアーシリンダーＤとガイドレール７と言う水平移動機構だけを挙げたが、昇降機構のような垂直移動機構により或いはこれを加えて支持することも当然可能である。
【００２３】
【発明の効果】
（１）請求項１記載の発明によれば、紙片の貼着状態を維持したまま、一部で貼着された紙片の自由端部だけを吸着して引き寄せると共に挟持し、しかる後にこれを引く剥離動作がなされるよう構成されているから、紙片の貼着部に均等な力を加えて整然と剥離して回収する装置を提供することができる。しかも、設定と制御により多量且つ連続的な紙片の剥離と回収を自動的に行うことが可能である。また、紙片の吸着機構を負圧機構と駆動機構で構成すると共に、保持機構をプレートとこれに押接して保持するよう駆動される把持桿によって構成しているから、紙片剥離のための吸着・引き寄せ・保持を優れて円滑で安定したものとすることができる。
（２）請求項２記載の発明によれば、作業環境や作業手順に自在に応じて装置を設置し剥離作業を行うことができ、しかも剥離と回収の一連の作業を実施することができる。
【図面の簡単な説明】
【図１】  実施形態に係る紙片剥離装置の平面図。
【図２】  実施形態に係る紙片剥離装置の側面図。
【図３】  実施形態に係る紙片剥離装置の設置状態を示す説明図。
【図４】  実施形態に係る紙片剥離装置の剥離動作を示す説明図。
【図５】  同説明図。
【図６】  同説明図。
【図７】  同説明図。
【図８】  同説明図。
【図９】  同説明図。
【図１０】  実施形態に係る紙片剥離装置の回収動作を示す説明図。
【図１１】  実施形態に係る紙片剥離装置の回収過程を示す説明図。
【図１２】  他の実施形態に係る紙片剥離装置の設置状態を示す平面図。
【図１３】  同説明図。
【符号の説明】
１    フレーム
１ａ  支持桟
２    プレート
２ａ  スリット
２ｂ  空気放出口
２ｃ  空気通路
３    バキュームパッド
３ａ  支持桿
４    把持桿
５    架台
６    走行体
７    ガイドレール
７ａ  走行チェーン
７ｂ  レール架台
Ａ    エアーシリンダー
Ｂ    エアーシリンダー
Ｃ    エアーシリンダー
Ｄ    エアーシリンダー
Ｐ    伝票
Ｐ1   中央貼着部
Ｒ    搬送ローラー
Ｓ    シューター
Ｓ1     センサー
Ｗ    集積商品
Ｘ    緊締バンド
【図１】
0003844628.tif 000002
【図２】
0003844628.tif 000003
【図３】
0003844628.tif 000004
【図４】
0003844628.tif 000005
【図５】
0003844628.tif 000006
【図６】
0003844628.tif 000007
【図７】
0003844628.tif 000008
【図８】
0003844628.tif 000009
【図９】
0003844628.tif 000010
【図１０】
0003844628.tif 000011
【図１１】
0003844628.tif 000012
【図１２】
0003844628.tif 000013
【図１３】
0003844628.tif 000014